(57)【要約】【課題】出射窓が上を向かない限りランプの真上部にソケットが位置することなく、ランプの口金部分に熱が溜ることがなく、ランプ寿命を短くする状態が作られることはない照明器具を提供する。【解決手段】光源となるランプ３０と、ランプ３０から出射された光の経路を変更する光路変更部２７と、光路変更部２７を介した光を出射させる出射窓２１とを灯体２０内に備え、灯体２０をチルト回転させるモータとを備えている。ランプ３０を支持するソケット３１は、ランプ３０の中心よりも出射窓２１側の位置に設けられている。【選択図】図１
2007257935.tif 000002
【特許請求の範囲】
【請求項１】
ランプと；
ランプから出射された光の経路を変更する光路変更部と；
光路変更部を介した光を出射させる出射窓と；
灯体をチルト回転させる回転手段と；
ランプの中心よりも出射窓側の位置に設けられ、ランプを支持するソケットと
を具備することを特徴とする照明器具。
【請求項２】
ランプにおける頭頂部とソケットの位置を変換する位置変換機構が備えられていることを特徴とする請求項１に記載の照明器具。
【発明の詳細な説明】
【技術分野】
【０００１】
この発明は、例えば劇場やスタジオなどの演出空間において用いられる照明器具に関するものである。
【背景技術】
【０００２】
従来、光源であるランプからの熱発散を目的として、ランプから出射された光をミラーにより反射させ、光路を９０度曲げて灯体から出射させる構成とし、上記ミラーに放熱フィンを設けるように構成した照明器具が知られており、例えば非特許文献１に示されている。
【０００３】
【非特許文献１】照明装置  パシフィックＭＳＲ（Lighting Products pacific MSR）カタログ  セレコン  ニュージーランド株式会社（SELECON NEW ZEALAND LTD）  インターネット＜URL:http://WWW.ardiislight.com/products/pacific-msr.html＞
【発明の開示】
【発明が解決しようとする課題】
【０００４】
上記照明器具にあっては、ランプの口金と頭頂部とを結ぶ直線の頭頂部前方に光が出射され、ミラーにより９０度の光路変更を受けるようになっており、ランプのソケットは頭頂部と反対側に設けられ、ランプの口金がソケットに挿入される。したがって、この照明器具により真下方向を照射する場合には、ランプが横向きの状態となり、ランプの横側に口金及びソケットが位置する状態となる。
【０００５】
更に、上記のような真下方向を照射する状態から、灯体を±９０度のチルト回転をさせて左右横側を照射する状態とすると、左右横側のいずれかを照射する場合には、ランプが逆さに設けられた状態となる。つまり、ランプの真上部にソケットが位置し、その下方に、ソケットに対し口金が挿入されたランプが位置する状態となる。この状態においては、ランプにて発生した熱によって上方の口金及びソケットを熱せられることになり、ランプの寿命を短くする問題がある。
本発明は、灯体をチルト回転させて照射する場合に、ランプの真上部にソケットが位置することなく、ランプ寿命を短くする状態を作らない照明器具を提供することを目的とする。
【課題を解決するための手段】
【０００６】
請求項１に記載の発明は、ランプと；ランプから出射された光の経路を変更する光路変更部と；光路変更部を介した光を出射させる出射窓と；灯体をチルト回転させる回転手段と；ランプの中心よりも出射窓側の位置に設けられ、ランプを支持するソケットとを具備することを特徴とする。
【０００７】
光路変更部としては、熱線透過ミラーを用いることができる。ランプの中心とは、フィラメントの中央位置を許容する。ランプから光路変更部までの光路には平行光を作る集光レンズを設けることが可能である。また、光路変更部から出射窓の間には、フォーカス機構、ズーム機構を設けることが可能である。
【０００８】
請求項２に記載の発明は、請求項１記載の照明器具において、ランプにおける頭頂部とソケットの位置を変換する位置変換機構が備えられていることを特徴とする。
【発明の効果】
【０００９】
請求項１に記載の発明によれば、ランプを支持するソケットがランプの中心よりも出射窓側の位置に設けられていることにより、出射窓が上側を向かない限りランプの真上部にソケットが位置することがないので、ランプの口金部分に熱が溜ることがなく、ランプ寿命を短くする状態が作られることはない。また、請求項２に記載の発明によれば、ランプにおける頭頂部とソケットの位置を変換する位置変換機構が備えられているので、灯体の姿勢に応じてランプにおける頭頂部とソケットの位置を変換することができる。
【発明を実施するための最良の形態】
【００１０】
以下、添付図面を参照して本発明に係る照明器具の実施例を説明する。各図において同一の構成要素には、同一の符号を付して重複する説明を省略する。本発明に係る照明器具の実施例は、図１に正面図を、図２に側面図を、図３に側面の縦断面図を示すように、制御部筐体１０から軸１１を介してバー１２の両端から下方へアーム１３、１３が延びており、灯体２０を両側面部から把持している。アーム１３、１３からは灯体２０の両側面部に向けて水平に軸１４、１４が設けられており、この軸１４、１４がアーム１３または灯体２０に設けられたチルトモータにより回転されて、チルト回転がなされる構成が採用されている。
【００１１】
また、制御部筐体１０から上方には、フック１５、１５が延びており、棒状バトン１６を把持している。制御部筐体１０とバー１２との間に設けられた軸１１は、制御部筐体１０内またはバー１２内に設けられたパンモータにより水平回転される。
【００１２】
灯体２０は、筒状体に対し、その後半部分が膨らんだ形状を有し、正面部分に光を外部へ出射させる出射窓２１が設けられている。出射窓２１へ到る光経路には、出射窓２１に近い位置に手差し枠２２が設けられ、次にズームレンズを含むズーム機構２３が配置され、カラーチェンジ機構２４、フォーカス機構２５が設けられる。ズーム機構２３によりビーム角度が制御され、フォーカス機構２５により焦点調整が行われる。ここでは、ズーム機構２３をフォーカス機構２５よりも前方に設けているが、この配置は一例に過ぎず、逆の配置による構成やその他様々な構成が採用され得る。
【００１３】
フォーカス機構２５の後段には、電動カッタやアイリスやゴボなどにより構成される光演出機構２６が設けられている。光演出機構２６の後段には、熱線吸収ガラス２６Ａ及び光路変更部２７が設けられている。光路変更部２７は後述するランプ３０側から照射された光の光路を変更するもので、ここでは熱線透過反射板が用いられる。熱線が光路変更部２７を構成する熱線透過反射板を通過するため、熱線透過反射板の裏面側には放熱フィン２８が設けられ、放熱がなされるように構成されている。この実施例において、光路変更部２７においては光反射前の光軸と光反射後の光軸とのなす角を直角に近い鈍角としているが、直角または直角に近い鋭角とすることも可能である。
【００１４】
光路変更部２７とランプ３０の間には、ランプ３０から照射された光を平行光とするための集光レンズ２９が設けられている。光路変更部２７によって反射されて反射された光の光軸がズーム機構２３やフォーカス機構２５の光軸と一致するように、ランプ３０の位置が設定され、この位置に設けられる。ランプ３０は、例えばハロゲン電球により構成される。ランプ３０はソケット３１に挿入されて支持される。ここでソケット３１は、ランプ３０の中心よりも出射窓２１側の位置に設けられ、ランプ３０を支持する。ランプ３０の中心とは、例えばフィラメントの中央位置とする。ランプ３０の背後には、出射光を前方へ反射する反射板３２が設けられている。
【００１５】
制御部筐体１０には、電源部や制御部が設けられており、制御部は例えば遠隔から又は灯体に設けられたスイッチの操作に基づく制御信号を受けてパンやチルトのモータの回転制御を行い、更に、ズーム機構２３やフォーカス機構２５に用いられているモータの回転制御などを行う。
【００１６】
以上の通りに構成された照明器具は、図３に示されている水平方向を照射する状態から、制御部による制御によってチルト回転させられて真下方向を照射する図４の状態とされ得るものであり、更に、チルト回転させられて図３とは１８０度反対側の水平方向を照射する図５の状態とされ得るものである。即ち、図４の状態から±９０度のチルト回転によっては、ソケット３１がランプ３０の上部に位置することなく、ランプ３０の口金部が熱せられることを防ぎ、ランプ寿命を短くする状態が作られることはない。この実施例では、出射窓２１がほぼ真上を向かない限りランプ３０の真上部にソケット３１が位置することなく、ランプ寿命を従来のものよりも長くできる。なお、本実施例では、光路変更部２７において、光反射前の光軸と光反射後の光軸とがなす角が直角に近い鈍角となっているが、この光反射前の光軸と光反射後の光軸とがなす角が直角の場合には、本実施例よりも出射窓がより真上となる位置にならなければ、ソケット部がランプの上部にならないため、より確実にソケット部の保護を図ることができ、好適である。
【００１７】
本実施例に係る照明器具は、図３〜図５においてフック１５が想像線により描かれ、これを取り外し可能である。また、制御部筐体１０には、１８が設けられている。即ち、台脚１８を床に向けて図６に示す姿勢で使用可能である。この図６の姿勢では、図４から想像できるように、チルト回転の角度によってはランプ３０の真上部にソケット３１が位置する事態が起こり得る。
【００１８】
そこで、本実施例に係る照明器具では、ランプにおける頭頂部とソケットの位置を変換する位置変換機構４０が備えられている。具体的には、ランプ３０の中心（例えばフィラメントの中央位置）を回転中心とし、ランプ３０から光路変更部２７へ向かう光軸に直交する平面を回転平面として、ランプ３０とソケット３１が回転するように、灯体２０の該当位置にソケット３１を移動させるレールを設けるなどにより、上記位置変換機構４０を構成することができる。
【００１９】
上記位置変換機構４０による位置変換によって、ランプ３０とソケット３１が図４の状態から１８０度回転した図６に示す状態となり、図６の状態から±９０度のチルト回転によっては、ソケット３１がランプの上部に位置することなく、ランプ３０の口金部が熱せられることを防ぎ、ランプ寿命を短くする状態が作られることはない。この図６に示すランプ３０とソケット３１の位置では、出射窓２１がほぼ真下を向かない限りランプ３０の真上部にソケット３１が位置することなく、ランプ寿命を従来のものよりも長くすることが可能である。
【図面の簡単な説明】
【００２０】
【図１】本発明に係る照明器具の実施例の正面図。
【図２】本発明に係る照明器具の実施例の側面図。
【図３】本発明に係る照明器具の実施例の側面の縦断面図。
【図４】本発明に係る照明器具の実施例の側面の縦断面図。
【図５】本発明に係る照明器具の実施例の側面の縦断面図。
【図６】本発明に係る照明器具の実施例の側面の縦断面図。
【符号の説明】
【００２１】
１０  制御部筐体 
１１  軸 
１２  バー 
１３  アーム 
１４  軸 
１５  フック 
１６  棒状バトン 
１８  台脚 
２０  灯体 
２１  出射窓 
２２  手差し枠 
２３  ズーム機構 
２４  カラーチェンジ機構 
２５  フォーカス機構 
２６  光演出機構 
２６Ａ  熱線吸収ガラス 
２７  光路変更部 
２８  放熱フィン 
２９  集光レンズ 
３０  ランプ 
３１  ソケット 
３２  反射板 
４０  位置変換機構
【図１】
2007257935.tif 000003
【図２】
2007257935.tif 000004
【図３】
2007257935.tif 000005
【図４】
2007257935.tif 000006
【図５】
2007257935.tif 000007
【図６】
2007257935.tif 000008